(57)【要約】【課題】複数の無線通信方式及び複数のキャリア周波数を時分割にて受信可能な通信端末装置において、複数の無線通信方式及びキャリア周波数の中から最良のセルを高速に且つ確実に選択できる通信端末装置を提供する。【解決手段】セル検出部１０２及びセルレベル測定部１０３を管理するセル管理部１０４ａより得られるセル検出及びセルレベル測定の状態に応じたセル選択閾値をセル選択部１０５ａに出力し、セル選択部１０５ａはその情報を元にセルレベル測定部１０３からのセルレベル測定値にマスクをかける。これにより、複数の無線通信方式及び複数のキャリア周波数から最適なセルを高速に且つ確実に選択することが可能となる。【選択図】      図１
2004356909.tif 000002
【特許請求の範囲】
【請求項１】
複数の無線通信方式及びキャリア周波数夫々の無線信号を時分割にて受信可能な無線通信装置であって、複数の無線通信方式及びキャリア周波数の中で指定された無線通信方式とキャリア周波数で無線信号を受信する無線受信手段と、受信指定された無線通信方式とキャリア周波数に属するセルの検出を行うセル検出手段と、前記セル検出手段で検出されたセルにおけるセルレベルの測定を行うセルレベル測定手段と、前記無線受信手段、前記セル検出手段及び前記セルレベル測定手段夫々に対して動作指示を行うと共に前記セル検出手段におけるセル検出状態及び前記セルレベル測定手段におけるセルレベル測定状態に応じてセル選択処理時に用いられる所定の閾値を有するセル管理手段と、前記セルレベル測定手段で測定されるセルレベル測定値のうち前記セル管理手段が有する閾値以上のセルレベル測定値を用いてセル選択を行うとセル選択手段と、前記セル選択手段からのセル選択結果に基づきセルの切り替え処理を行うセル切替処理手段と、を具備することを特徴とする通信端末装置。
【請求項２】
前記セル管理手段は、受信指定された複数の無線通信方式及び複数のキャリア周波数それぞれに属するセルの検出及びセルレベル測定をシーケンシャルに行うことを特徴とする請求項１に記載の通信端末装置。
【請求項３】
前記無線受信手段の受信情報からセル切替処理に必要な報知情報を受信する報知情報受信手段を具備し、前記セル切替処理手段は、前記報知情報受信手段に報知情報を受信する指示を与えた後、一定時間内に報知情報が得られなかった場合は現時点での前記セル選択手段におけるセル選択を停止させて現時点までに前記セル選択手段にて選択されたセルに対してセル切替処理を行い、現時点までに前記セル選択手段にてセルの選択が行われていなければ前記無線受信手段、前記セル検出手段及び前記セルレベル測定手段夫々に指示を出して、受信指定された複数の無線通信方式とキャリア周波数夫々に属するセルの検出及びセルレベル測定を行なわせ、前記セル選択手段は、前記セル切替処理手段の指示によって得られたセルレベル測定結果を用いてセル選択を行うことを特徴とする請求項１又は請求項２のいずれかに記載の通信端末装置。
【請求項４】
前記無線受信手段の受信情報から通信チャネルの復調を行う復調手段と、前記復調手段で復調された通信チャネルの品質が所定の閾値以上であるか否かを監視し、当該通信チャネルの品質が前記閾値以下になった場合には接続断と認識してその旨を前記セル管理手段に通知する接続監視手段と、を具備し、前記セル管理手段は、前記接続監視手段より接続断が通知されると前記セル選択手段に接続断情報を与え、前記セル選択手段は、前記接続監視手段から接続断情報を受けると、当該情報に応じてセル選択を行うことを特徴とする請求項１から請求項３のいずれかに記載の通信端末装置。
【請求項５】
複数の無線通信方式及びキャリア周波数夫々の無線信号を時分割にて受信する無線通信方法において、複数の無線通信方式及びキャリア周波数夫々の無線信号を受信して各無線通信方式とキャリア周波数に属するセルの検出及びセルレベル測定を行い、各セルレベル測定値のうちで所定の閾値以上のものが１つあればそのセルレベル測定値のセルを選択し、所定の閾値以上のものが複数あればその中で最も値の大きいセルレベル測定値のセルを選択し、選択したセルにセルの切り替えを行うことを特徴とする無線通信方法。
【発明の詳細な説明】
【０００１】
【発明の属する技術分野】
本発明は、ディジタル無線通信システムにおける通信端末装置及び無線通信方法に関し、特に複数の通信方式及び複数のキャリア周波数を時分割にて受信可能な通信端末装置及び無線通信方法に関する。
【０００２】
【従来の技術】
従来、第３世代移動通信方式に用いる多元接続方式としてＣＤＭＡ（Ｃｏｄｅ  Ｄｉｖｉｓｉｏｎ  Ｍｕｌｔｉｐｌｅ  Ａｃｃｅｓｓ）が採用されている。ＣＤＭＡは３ＧＰＰ（３ｒｄ  Ｇｅｎｅｒａｔｉｏｎ  Ｐａｒｔｎｅｒｓｈｉｐ  Ｐｒｏｊｅｃｔ）によって規格化されている。ＣＤＭＡを採用したセルラシステム（以下３Ｇシステムという）では、通信端末装置に対して、移動に伴うセル切替え（ハンドオーバやセル選択／再選択）などを目的に、他のキャリア周波数に属するセルの検出やセルレベル測定及びセル選択などが義務付けられている。また、ＰＤＣ（Ｐｅｒｓｏｎａｌ  Ｄｉｇｉｔａｌ  Ｃｅｌｌｕｌａｒ），ＰＨＳ（Ｐｅｒｓｏｎａｌ  Ｈａｎｄｙ−Ｐｈｏｎｅ  Ｓｙｓｔｅｍ），ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）など他の無線通信方式のサポートを宣言した通信端末装置は、それらに属するセルの検出やセルレベル測定及びセル選択などが義務付けられている。
【０００３】
移動体通信規格３ＧＴＳ２５．１３３  ｖｅｒｓｉｏｎ３．１０．０によってセルレベル測定とセル選択／再選択の関係が規定されている。また、移動体通信規格３ＧＴＳ２５．３０４  ｖｅｒｓｉｏｎ３．１０．０によってセル選択／再選択方法が規定されている。前者においては、セル選択／再選択の機会は、各キャリア周波数及び各無線通信方式に属するセルのレベルが測定された時点であると規定されている。後者においては、網側より指定されたセルのレベルの閾値に基づき、測定されたレベルがその閾値以上であれば選択の対象とし、選択の対象が複数存在する場合は複数のセルのレベル測定値をランキングし最良のセルを選択することを規定している。
【０００４】
図７は、従来の通信端末装置の構成を示すブロック図である。
図７において、無線受信部１０１では、アンテナ１００で捉えられた無線信号を受信し、受信した無線信号に対して所定の無線受信処理（例えばダウンコンバート、Ａ／Ｄ変換、拡散変調で使用された拡散コードを用いた逆拡散処理など）を行う。無線受信部１０１からの受信情報はセル検出部１０２とセルレベル測定部１０３に入力される。セル検出部１０２は無線受信部１０１からの受信情報を用いてセルの検出処理を行う。例えば３Ｇ方式の場合は、３段階セルサーチを行って拡散コードの同定を行うと共にフレームタイミングの同定を行う。ＧＳＭ方式の場合は、ＢＳＩＳ（ｔｈｅ  ｂａｓｅ  ｓｔａｔｉｏｎ  ｉｄｅｎｔｉｆｉｃａｔｉｏｎ  ｃｏｄｅ）の検出を行う。セル検出部１０２からのセル情報はセルレベル測定部１０３に送られると共にセル管理部１０４に登録される。
【０００５】
セルレベル測定部１０３は、セル検出部１０２からのセル情報を用いてセルのレベル測定を行う。例えば３Ｇ方式の場合は、Ｐ−ＣＰＩＣＨ（Ｐｒｉｍａｒｙ  Ｃｏｍｍｏｎ  Ｐｉｌｏｔ  Ｃｈａｎｎｅｌ）のＲＳＣＰ（Ｒｅｃｅｉｖｅｄ  Ｓｉｇｎａｌ  Ｃｏｄｅ  Ｐｏｗｅｒ）やＥｃ／Ｎｏ（Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ）の測定を行う。ＧＳＭ方式の場合は、ＲＳＳＩ（Ｒｅｃｅｉｖｅｄ  Ｓｉｇｎａｌ  Ｓｔｒｅｎｇｔｈ  Ｉｎｄｉｃａｔｏｒ）の測定を行う。セルレベル測定部１０３で測定されたセルレベル測定値はセル選択部１０５へ送られる。
【０００６】
セル管理部１０４は、外部から入力される周辺セル情報に含まれるセルについてセル検出及びセルレベル測定を行う指示を出す。すなわち、無線受信部１０１とセル検出部１０２とセルレベル測定部１０３に対して指示を出す。この場合、無線受信部１０１には当該セルの無線通信方式への切り替えと受信キャリア周波数への切り替えを行う指示を出す。セル検出部１０２にはセル検出に必要な情報を与えてセル検出指示を出す。セルレベル測定部１０３にはセルレベル測定に必要な情報を与えてセルレベル測定指示を出す。これにより、ある無線通信方式におけるあるキャリア周波数に属するセルのレベルが測定される。なお、外部からセル管理部１０４に入力される周辺セル情報は、例えば移動体通信規格３ＧＴＳ２５．３３１  ｖｅｒｓｉｏｎ３．１１．０記載のｃｅｌｌ  ｉｎｆｏ  ｌｉｓｔである。
【０００７】
セル選択部１０５は、セルレベル測定部１０３で測定されたセルレベル測定値に対してセル選択対象の判定を行い、更にセル選択対象であるものについてはランキングを行って最大のものをセル選択対象とする。なお、セル選択対象の判定とは、各セルに対するレベル測定値が現在通信中のセルに対するレベル測定値と比べて大きいか否かによりふるいにかけることである。例えば一度に入力されるセルレベル測定値から移動体通信規格３ＧＴＳ２５．３０４  ｖｅｒｓｉｏｎ３．１１．０記載のｃｒｉｔｅｒｉｏｎ  Ｈやｃｒｉｔｅｒｉｏｎ  Ｒを算出し、これらの値が現在通信中のセルにおける値よりも大きい場合にはセル選択対象とする。そして、セル選択対象となったセルが２つ以上であれば、その中から最大の値のものを選択する。一方、該当するセルが無い場合には現在のセルで通信を継続する。セル切替処理部１０６は、セル選択部１０５で選択されたレベル測定値が最大のセルに切り替えるための処理を行う。すなわち、レベル測定値が最大のセルと通信を行うのに必要な情報を得るためにセルの切り替えを行なって当該セルが報知している報知情報を受信する。以上の構成により、移動体通信規格３Ｇに対応したセルのレベル測定値に応じたセル選択が行われる。
【０００８】
【発明が解決しようとする課題】
ところで、従来の通信端末装置においては、次のような問題がある。
すなわち、セル選択する際に周波数帯及び無線通信方式毎にセルレベルを測定し、各測定結果から最良のセルを選択するようにしている。しかしながら、伝播路の変化とセルレベルを測定する周波数帯及び無線通信方式の順序とによって全ての選択対象セルの中で最良セルを選択できるとは限らず、他の周波数帯もしくは他の無線通信方式のセルを選択すれば十分な受信品質が得られるにも関わらずある期間受信品質が低下してしまう虞がある。
【０００９】
また、全ての周波数帯及び全ての無線通信方式に属するセルのレベルを測定した後に最良のセルを選択するようにすると、最良のセルを選択するまでに時間がかかってしまい、例えば待ち受け中であればページングが受信し難くなることから着信率低下につながってしまう。
【００１０】
ここで、図８に示す従来の通信端末装置の動作タイミング図を参照して、上記課題について詳細に説明する。
図８において、（ａ）はセル管理部１０４におけるセル管理状態の時間変化を表す。（ｂ）は無線受信部１０１で選択されているキャリア周波数及び無線通信方式を表す。（ｃ）はセル検出部１０２がセル検出動作を行っている期間を表す。（ｄ）はセルレベル測定部１０３がセルレベル測定動作を行っている期間を表す。（ｅ）はセル管理部１０４がセル選択部１０５に対して出力するセル選択閾値を表す。（ｆ）はセル選択部１０５がセル選択処理を行っている期間を表す。（ｇ）はセル切替処理部１０６がセル切替処理を行っている期間を表す。（ｔ）は各キャリア周波数及び無線通信方式に属するセルのレベルを表現したものであり、時間的なレベル変化を表している。
【００１１】
また、（ｔ）中のＱｑｕａｌｍｉｎは、待ち受けるもしくは通信を行うセルとして選択可能な最低限のレベルを表す。また、（ｔ）中のＱｔｈｒｅｔｈＡは、通信チャネルに求められる所要品質を満たすための最低限のレベルを表す。ここで、上記構成の従来の通信端末装置が、（ｔ）の時刻Ｔ０において、Ｆｉｄ＝０のセル２と通信もしくは待ち受けをしているとする。また、（ｔ）の時刻Ｔ０からＦｉｄ＝０のセル検出、レベル測定を開始しているとする。（ｔ）の時刻Ｔ１のレベル測定部１０３から出力されるレベル測定結果よりセル選択部１０５がセル１を選択し、セル切替処理部１０６にセル切替通知を行う。これを受けてセル切替処理部１０６はセル１の報知情報を受信する。セル１は、（ｔ）のＱｔｈｒｅｔｈＡのレベルを下回っているため、報知情報を受信する際に受信誤りが生じてしまい、このため、所要の報知情報の受信を完了するまでに時間がかかることになる。
【００１２】
一方、セルの報知情報を受信している期間は他のキャリア周波数及び他の無線通信方式に属するセルの検出及びレベル測定は不可能になるので、（ｔ）のＴ２以降にレベルが上昇している（ｔ）のＦｉｄ＝２に属するセルを検出することができない。このため、受信品質の悪い状態にて（ｔ）のＦｉｄ＝０に属するセル「２」の報知情報を受信し続けてしまう。これによって、最適なセルへの切替が遅れることになる。
【００１３】
本発明はかかる点に鑑みてなされたものであり、複数のキャリア周波数及び無線通信方式の中から最良のセルを高速且つ確実に選択することが可能な通信端末装置及び無線通信方法を提供することを目的とする。
【００１４】
【課題を解決するための手段】
この課題を解決するための請求項１に係る発明の通信端末装置は、複数の無線通信方式及びキャリア周波数夫々の無線信号を時分割にて受信可能な無線通信装置であって、複数の無線通信方式及びキャリア周波数の中で指定された無線通信方式とキャリア周波数で無線信号を受信する無線受信手段と、受信指定された無線通信方式とキャリア周波数に属するセルの検出を行うセル検出手段と、前記セル検出手段で検出されたセルにおけるセルレベルの測定を行うセルレベル測定手段と、前記無線受信手段、前記セル検出手段及び前記セルレベル測定手段夫々に対して動作指示を行うと共に前記セル検出手段におけるセル検出状態及び前記セルレベル測定手段におけるセルレベル測定状態に応じてセル選択処理時に用いられる所定の閾値を有するセル管理手段と、前記セルレベル測定手段で測定されるセルレベル測定値のうち前記セル管理手段が有する閾値以上のセルレベル測定値を用いてセル選択を行うとセル選択手段と、前記セル選択手段からのセル選択結果に基づきセルの切り替え処理を行うセル切替処理手段と、を具備する構成を採る。
【００１５】
この構成によれば、セル検出及びセルレベル測定の状態に応じてセルの選択方法を適応的に切り替えるので、移動に伴うセル選択の際に最適なセルを高速且つ確実に選択することが可能となる。
【００１６】
なお、複数の無線受信手段を設けることで、複数のキャリア周波数及び無線通信方式を同時に受信することができることから、最適なセルを高速且つ確実に選択することが可能である。しかしながら、複数の無線受信手段を設けることでコスト高になることと装置の小型化が困難になる。この点本発明は１つの無線受信手段で済むのでコストを低く抑えることができ、また小型化が可能となる。
【００１７】
また、請求項２に係る発明の通信端末装置は、請求項１に係る発明の通信端末装置において、前記セル管理手段は、受信指定された複数の無線通信方式及び複数のキャリア周波数それぞれに属するセルの検出及びセルレベル測定をシーケンシャルに行う構成を採る。
【００１８】
この構成によれば、セルの検出及びセルレベル測定をシーケンシャルに行うので、セル管理手段の処理が比較的容易に実現できると共に、請求項１同様にセル検出及びセルレベル測定の状態に応じてセルの選択方法を適応的に切り替えるので、移動に伴うセル選択の際に最適なセルを高速且つ確実に選択することが可能となる。
【００１９】
請求項３に係る発明の通信端末装置は、請求項１又は請求項２のいずれかに係る発明の通信端末装置において、前記無線受信手段の受信情報からセル切替処理に必要な報知情報を受信する報知情報受信手段を具備し、前記セル切替処理手段は、前記報知情報受信手段に報知情報を受信する指示を与えた後、一定時間内に報知情報が得られなかった場合は現時点での前記セル選択手段におけるセル選択を停止させて現時点までに前記セル選択手段にて選択されたセルに対してセル切替処理を行い、現時点までに前記セル選択手段にてセルの選択が行われていなければ前記無線受信手段、前記セル検出手段及び前記セルレベル測定手段夫々に指示を出して、受信指定された複数の無線通信方式とキャリア周波数夫々に属するセルの検出及びセルレベル測定を行なわせ、前記セル選択手段は、前記セル切替処理手段の指示によって得られたセルレベル測定結果を用いてセル選択を行う構成を採る。
【００２０】
この構成によれば、セル切替処理に必要な報知情報の受信状態に応じてセル選択方法を適応的に切り替えるので、移動に伴うセル選択の際に、高速に且つ最適なセル選択が可能となる。
【００２１】
請求項４に係る発明の通信端末装置は、請求項１から請求項３のいずれかに係る発明の通信端末装置において、前記無線受信手段の受信情報から通信チャネルの復調を行う復調手段と、前記復調手段で復調された通信チャネルの品質が所定の閾値以上であるか否かを監視し、当該通信チャネルの品質が前記閾値以下になった場合には接続断と認識してその旨を前記セル管理手段に通知する接続監視手段と、を具備し、前記セル管理手段は、前記接続監視手段より接続断が通知されると前記セル選択手段に接続断情報を与え、前記セル選択手段は、前記接続監視手段から接続断情報を受けると、当該情報に応じてセル選択を行う構成を採る。
【００２２】
この構成によれば、通信状態に応じてセル選択方法を適応的に切り替えるので、移動に伴うセル選択の際に、高速に且つ最適なセル選択が可能となる。
【００２３】
請求項５に係る発明の無線通信方法は、複数の無線通信方式及びキャリア周波数夫々の無線信号を時分割にて受信する無線通信方法において、複数の無線通信方式及びキャリア周波数夫々の無線信号を受信して各無線通信方式とキャリア周波数に属するセルの検出及びセルレベル測定を行い、各セルレベル測定値のうちで所定の閾値以上のものが１つあればそのセルレベル測定値のセルを選択し、所定の閾値以上のものが複数あればその中で最も値の大きいセルレベル測定値のセルを選択し、選択したセルにセルの切り替えを行う。
【００２４】
この方法によれば、セル検出及びセルレベル測定の状態に応じてセルの選択方法を適応的に切り替えるので、移動に伴うセル選択の際に最適なセルを高速且つ確実に選択することが可能となる。
【００２５】
【発明の実施の形態】
本発明の骨子は、セル検出及びセルレベル測定の状態、報知情報受信状態又は接続状態に応じてセル選択方法を適応的に切り替えるようにして、複数のキャリア周波数及び無線通信方式の中から最良のセルを高速且つ確実に選択することである。
【００２６】
以下、本発明の実施の形態について、図面を参照して詳細に説明する。
【００２７】
（実施の形態１）
図１は、本発明の実施の形態１に係る通信端末装置の構成を示すブロック図である。
図１において、無線受信部１０１は、アンテナ１００で捉えられた無線信号に対して所定の無線受信処理（例えばダウンコンバート、Ａ／Ｄ変換、拡散変調で使用された拡散コードを用いた逆拡散処理など）を行う。無線受信部１０１からの受信信号はセル検出部１０２とセルレベル測定部１０３に入力される。
【００２８】
セル検出部１０２は、無線受信部１０１からの受信信号を用いてセルの検出処理を行う。例えば無線通信方式が３Ｇ方式の場合は、３段階セルサーチを行って拡散コードの同定を行うと共にフレームタイミングの同定を行い、ＧＳＭ方式の場合は、ＢＳＩＳ（ｔｈｅ  ｂａｓｅ  ｓｔａｔｉｏｎ  ｉｄｅｎｔｉｆｉｃａｔｉｏｎ  ｃｏｄｅ）の検出を行う。セル検出部１０２からのセル情報はセルレベル測定部１０３に送られると共にセル管理部１０４ａに登録される。
【００２９】
セルレベル測定部１０３は、セル検出部１０２からのセル情報を用いてセルのレベル測定を行う。例えば無線通信方式が３Ｇ方式の場合は、Ｐ−ＣＰＩＣＨ（Ｐｒｉｍａｒｙ  Ｃｏｍｍｏｎ  Ｐｉｌｏｔ  Ｃｈａｎｎｅｌ）のＲＳＣＰ（Ｒｅｃｅｉｖｅｄ  Ｓｉｇｎａｌ  Ｃｏｄｅ  Ｐｏｗｅｒ）やＥｃ／Ｎｏ（Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ）の測定を行い、ＧＳＭ方式の場合は、ＲＳＳＩ（Ｒｅｃｅｉｖｅｄ  Ｓｉｇｎａｌ  Ｓｔｒｅｎｇｔｈ  Ｉｎｄｉｃａｔｏｒ）の測定を行う。セルレベル測定部１０３で測定されたセルレベル測定値はセル選択部１０５ａへ送られる。
【００３０】
セル管理部１０４ａは、外部から入力される周辺セル情報に含まれるセルについてセル検出及びセルレベル測定を行う指示を出す。すなわち、無線受信部１０１とセル検出部１０２とセルレベル測定部１０３に対して指示を出す。この場合、無線受信部１０１には当該セルの無線通信方式への切り替えと受信キャリア周波数への切り替えを行う指示を出す。また、セル検出部１０２にはセル検出に必要な情報を与えてセル検出指示を出す。また、セルレベル測定部１０３にはセルレベル測定に必要な情報を与えてセルレベル測定指示を出す。これにより、ある無線通信方式におけるあるキャリア周波数に属するセルのレベルが測定される。セル管理部１０４ａは、さらにセル検出及びセルレベル測定の状態に応じてセル選択部１０５ａに対してセル選択処理を行う際の閾値を出力する。なお、外部から入力される周辺セル情報は、例えば移動体通信規格３ＧＴＳ２５．３３１  ｖｅｒｓｉｏｎ３．１１．０記載のｃｅｌｌ  ｉｎｆｏ  ｌｉｓｔである。
【００３１】
セル選択部１０５ａは大きく分けて２つの処理を行う。１つ目の処理は、セルレベル測定部１０３で測定されたセルのレベル測定値をセル管理部１０４ａから入力された閾値と比較し、レベル測定値が閾値以上であれば２つ目の処理に送り、閾値未満であれば２つ目の処理を行わない。２つ目の処理は、１つ目の処理を通過したレベル測定値に対してセル選択対象の判定を行い、更にセル選択対象であるものについてはランキングを行って最大のものをセル選択対象とする。なお、セル選択対象の判定とは、各セルに対するレベル測定値が現在通信中のセルに対するレベル測定値と比べて大きいか否かによりふるいにかけることである。例えば一度に入力されるセルのレベル測定値から、移動体通信規格３ＧＴＳ２５．３０４  ｖｅｒｓｉｏｎ３．１１．０記載のｃｒｉｔｅｒｉｏｎ  Ｈやｃｒｉｔｅｒｉｏｎ  Ｒを算出し、現在通信中のセルに対して大きい場合セル選択対象とし、最大のものを選択する。該当するセルが無かった場合には現在の通信を継続する。セル切替処理部１０６は、セル選択部１０５ａで選択されたレベル測定値が最大のセルに切り替えるための処理を行う。すなわち、レベル測定値が最大のセルと通信を行うのに必要な情報を得るためにセルの切り替えを行なって当該セルが報知している報知情報を受信する。
【００３２】
図２は、本実施の形態に係る通信端末装置の動作を示すタイミング図である。
図２において、（ａ）はセル管理部１０４ａにおけるセル管理状態の時間変化を表す。（ｂ）は無線受信部１０１で選択されているキャリア周波数及び無線通信方式を表す。（ｃ）はセル検出部１０２がセル検出動作を行っている期間を表す。（ｄ）はセルレベル測定部１０３がレベル測定動作を実行している期間を表す。（ｅ）はセル管理部１０４ａがセル選択部１０５ａに対して出力するセル選択閾値を表す。（ｆ）はセル選択部１０５ａがセル選択処理を行っている期間を表す。（ｇ）はセル切替処理部１０６がセル切替処理を行っている期間を表す。（ｔ）は各キャリア周波数及び無線通信方式に属するセルのレベルを表現したものであり、時間的なレベル変化を表している。（ｔ）中のＱｑｕａｌｍｉｎは、待ち受けるもしくは通信を行うセルとして選択可能な最低限のレベルを表す。（ｔ）中のＱｔｈｒｅｔｈＡ、ＱｔｈｒｅｔｈＢは、通信チャネルに求められる所要品質を満たすための最低限のレベルを表す。
【００３３】
ここで、本実施の形態に係る通信端末装置におけるセル管理方法の一例を説明する。セル管理部１０４ａは、外部より与えられる周辺セル情報（例えばｃｅｌｌ  ｉｎｆｏ  ｌｉｓｔ）に基づき、逐次的に全てのキャリア周波数及び無線通信方式のセル検出及びレベル測定を行わせている期間をｓｔａｔｅＡ、逐次的に全てのキャリア周波数及び無線通信方式のレベル測定を行わせている期間をｓｔａｔｅＢ、その他の通常期間をｓｔａｔｅＮとする。ここで、外部より与えられる周辺セル情報にはキャリア周波数Ｆｉｄ＝０、Ｆｉｄ＝１、Ｆｉｄ＝２及びＧＳＭ方式に属するセルが含まれると仮定する。これにより、ｓｔａｔｅＡでは、Ｆｉｄ＝０、Ｆｉｄ＝１、Ｆｉｄ＝２、ＧＳＭ方式と順にセル検出及びレベル測定を行う。一方、ＳｔａｔｅＢにおいては、Ｆｉｄ＝０、Ｆｉｄ＝１、Ｆｉｄ＝２、ＧＳＭ方式のレベル測定を実施させる。さらに、セル管理部１０４ａはｓｔａｔｅＡの後直ちにｓｔａｔｅＢの状態にする。また、ｓｔａｔｅＡ出はセル選択閾値ＱｔｈｒｅｔｈＡを、ｓｔａｔｅＢではセル選択閾値ＱｔｈｒｅｔｈＢをセル選択部１０５ａに出力する。その他通常時はセル選択閾値Ｑｑｕａｌｍｉｎを出力する。
【００３４】
本実施の形態の通信端末装置が、図２の（ｔ）の時刻Ｔ０において、Ｆｉｄ＝０のセル「２」と通信もしくは待ち受けをしているとする。また、（ｔ）の時刻Ｔ０からＦｉｄ＝０のセル検出及びレベル測定を開始している。（ｔ）の時刻Ｔｆにおいて得られたレベル測定結果からは、セル「１」がセル切替の選択セルになるが、セル「１」のレベル測定値がセル管理部１０４ａから出力されるセル選択閾値ＱｔｈｒｅｔｈＡを下回っているため、セル選択部１０５ａの初めのｓｔｅｐにてセル選択候補から外されるのでセル選択は行われない。（ｔ）の時刻Ｔ１、Ｔ２、Ｔ３、Ｔ４、Ｔｇ、Ｔｈ、Ｔｉにおけるセルレベル測定時は同様にセル選択が行われない。（ｔ）の時刻Ｔｊにおけるセルレベル測定部１０３からの出力は、最良のセルであるＦｉｄ＝２のセルがセル選択閾値ＱｔｈｒｅｔｈＢを超えているので、セル選択部１０５ａにてセル選択が行われ、セル切替処理部１０６に対しセル切替通知が行われる。これにより、セル切替処理部１０６が報知情報の受信を開始する。
【００３５】
このように、本実施の形態に係る通信端末装置は、セル管理部１０４ａが、セル検出及びセルレベル測定の状態に応じてセル選択処理を行う際の閾値を出力し、セル選択部１０５ａがセルレベル測定部１０３で測定されたセルのレベル測定値とセル管理部１０４ａから出力された閾値とを比較し、レベル測定値が閾値以上であれば、当該レベル測定値に対してセル選択対象の判定を行い、更にセル選択対象であるものについてはランキングを行って最大のものをセル選択対象とすることでセル選択するようにしたので、最適なセルを高速且つ確実に選択することが可能となる。
【００３６】
（実施の形態２）
図３は、本発明の実施の形態２に係る通信端末装置の構成を示すブロック図である。なお、この図において、上述した実施の形態１に係る通信端末装置と同一の番号を付している部分については、実施の形態１で説明した同様の作用を有するものであるので、ここでは説明を省略する。
【００３７】
図３において、本実施の形態に係る通信端末装置は、無線受信部１０１からの受信信号から報知情報を受信する報知情報受信部１０７を備えている。セル切替処理部１０６ａは、セル選択部１０５ｂからのセル選択結果に基づいてセルの切り替え処理を各部に対して行う。この場合、報知情報受信部１０７には報知情報の受信の指示を与え、セル選択部１０５ｂにセル選択閾値ＱｔｈｒｅｔｈＣを与える。また、セル管理部１０４ｂには切り替えるセルを通知する。
【００３８】
セル選択部１０５ｂは大きく分けて２つの処理を行う。１つ目の処理は、セルレベル測定部１０３から入力されるセルのレベル測定値をセル切替処理部１０６ａから入力される閾値と比較し、閾値以上であれば次の処理を行い、閾値未満であれば次の処理を行わない。２つ目の処理は、１つ目の処理を通過したセルのレベル測定に対してセル選択対象の判定を行い、更にそのセル選択対象のランキングを行って最大のものを選択対象とする。ここで、セル選択対象の判定とは、各セルのセルレベル測定値が現在通信中のセルのセルレベル測定値と比べて大きいか否かによりふるいにかけることを言う。例えば、一度に入力されるセルのセルレベル測定値から移動体通信規格３ＧＴＳ２５．３０４  ｖｅｒｓｉｏｎ３．１１．０記載のｃｒｉｔｅｒｉｏｎ  Ｈやｃｒｉｔｅｒｉｏｎ  Ｒを算出し、現在通信中のセルに対して大きい場合セル選択対象とし、セル選択対象セルの最大のものを選択する。該当セルが無かった場合は現在の通信を継続する。
【００３９】
図４は、本実施の形態に係る通信端末装置の動作を示すタイミング図である。
図４において、（Ｉ）は報知情報受信部１０７が報知情報を受信している期間を表す。（ａ）はセル管理部１０４ａにおけるセル管理状態の時間変化を表す。（ｂ）は無線受信部１０１で選択されているキャリア周波数及び無線通信方式を表す。（ｃ）はセル検出部１０２がセル検出動作を行っている期間を表す。（ｄ）はセルレベル測定部１０３がレベル測定動作を行っている期間を表す。（ｅ）はセル管理部１０４ｂがセル選択部１０５ｂに対して出力するセル選択閾値を表す。（ｆ）はセル選択部１０５ｂがセル選択処理を行っている期間を表す。（ｇ）はセル切替処理部１０６ａがセル切替処理を行っている期間を表す。（ｔ）は各キャリア周波数及び無線通信方式に属するセルのレベルを表現したものであり、時間的なレベル変化を表す。（ｔ）中のＱｑｕａｌｍｉｎは、待ち受けるもしくは通信を行うセルとして選択可能な最低限のレベルを表す。また、（ｔ）中のＱｔｈｒｅｔｈＣは、通信チャネルに求められる所要品質を満たすための最低限のレベルを表す。
【００４０】
ここで、本実施の形態に係る通信端末装置におけるセル切替処理部１０６ａの報知情報受信処理動作について説明する。
セル切替処理部１０６ａは、報知情報受信部１０７に対して報知情報を受信する指示を出し、その指示を出した後、受信品質低下に伴うエラー継続などの原因で一定時間内に報知情報が得られなかった場合は現時点でのセル選択を諦め、それまでにセル選択部１０５ｂから報告されている選択セルに対してセル切替処理を実施する。一方、それまでにセル選択部１０５ｂから選択セルの報告を受けていない場合には外部より入力される周辺セル情報に含まれる全てのセルそれぞれに対して検出及びレベル測定を行う。一例として、実施の形態１にて説明したｓｔａｔｅＡ同様の動作を行う。
【００４１】
上記構成の通信端末装置が、図４の（ｔ）の時刻Ｔ０において、Ｆｉｄ＝０のセル「２」と通信もしくは待ち受けをしているとする。また、図８の（ｔ）の時刻Ｔ０からＦｉｄ＝０のセル検出及びレベル測定を開始しているとする。図４の（ｔ）の時刻Ｔｋにおいて得られたレベル測定結果からセル選択部１０５ｂにてＦｉｄ＝０セル「１」がセル切替の選択セルになり、そのセル「１」がセル切替処理部１０６ａに通知される。それに従いセル「１」の報知情報を受信する。報知情報を受信している期間、セル切替処理部１０６ａからはセル選択閾値ＱｔｈｒｅｔｈＣが出力されているので、図４の（ｔ）の時刻Ｔ１までセル選択は行われない。
【００４２】
ここで、図４の（ｔ）の時刻Ｔ１にてセル選択したセル「１」の報知情報を受信失敗したと仮定すると、図４の（ｔ）の時刻Ｔ１以降、実施の形態１にて説明したように、最良のセルであるＦｉｄ＝２のセルが選択され、そのセルにセルの切り替えが行なわれる。
【００４３】
このように、本実施の形態に係る通信端末装置は、セルの報知情報受信指示を行うセル切替処理部１０６ａからの情報に基づいてセル選択を行うことで、報知情報受信に失敗した場合などに、最適なセルを高速に且つ確実に選択することが可能となる。
【００４４】
（実施の形態３）
図５は、本発明の実施の形態３に係る通信端末装置の構成を示すブロック図である。なお、この図において、上述した実施の形態１又は実施の形態２に係る通信端末装置と同一の番号が振ってある部分については、実施の形態１又は実施の形態２で説明した同様の作用を有するものであるので、ここでは説明を省略する。
【００４５】
図５において、本実施の形態に係る通信端末装置は、無線受信部１０１からの受信情報のうちの通信チャネルに対する復調を行う復調部１０８と、復調部１０８からの通信チャネル品質情報を監視する接続監視部１０９とを備えている。復調部１０８での処理は、例えば３Ｇ方式では位相推定値の算出及びその重み付け処理である。さらに、通信チャネルに埋め込まれている既知パイロットシンボルから通信チャネルの品質を測定し、その結果を接続監視部１０９に通知する。
【００４６】
接続監視部１０９は、復調部１０８からの通信チャネル品質情報を監視し、常にある閾値以上であるかを確認し、ある閾値以下になった場合には接続断として認識すると共にセル管理部１０４ｃに接続断を通知する。セル管理部１０４ｃは、接続監視部１０９からの接続断の通知を受けると、実施の形態１にて説明したｓｔａｔｅＡの処理を行う。すなわち、図２に示すようにＦｉｄ＝０、Ｆｉｄ＝１、Ｆｉｄ＝２、ＧＳＭ方式と順にセル検出及びレベル測定を行う。
【００４７】
図６は、本実施の形態に係る通信端末装置の動作を示すタイミング図である。
図６において、（ａ）はセル管理部１０４ｃにおけるセル管理状態の時間変化を表す。（ｂ）は無線受信部１０１で選択されているキャリア周波数及び無線通信方式を表す。（ｃ）はセル検出部１０２がセル検出動作を行っている期間を表す。（ｄ）はセルレベル測定部１０３がレベル測定動作を実行している期間を表す。（ｅ）はセル管理部１０４ｃがセル選択部１０５ｂに対して出力するセル選択閾値を表す。（ｆ）はセル選択部１０５ｂがセル選択処理を行っている期間を表す。（ｇ）はセル切替処理部１０６ａがセル切替処理を行っている期間を表す。（Ｉ）は接続監視部１０９の動作状態を表す。
【００４８】
また、図６の（ｔ）は各キャリア周波数及び無線通信方式に属するセルのレベルを表現したものであり、時間的なレベル変化を表している。（ｔ）中のＱｑｕａｌｍｉｎは待ち受けるもしくは通信を行うセルとして選択可能な最低限のレベルを表す。また、（ｔ）中のＱｔｈｒｅｔｈＡ、ＱｔｈｒｅｔｈＢは、通信チャネルに求められる所要品質を満たすための最低限のレベルを表す。
【００４９】
上記構成の通信端末が、図６の（ｔ）の時刻Ｔ０において、Ｆｉｄ＝０のセル「２」と通信をしているとする。また、（ｔ）の時刻Ｔ１にて接続監視部１０９が接続断を検出したとする。これによりセル管理部１０４ｃはｓｔａｔｅＡの処理を実行する。Ｔ１からＴ５の期間、Ｑｑｕａｌｍｉｎを超えるセルは存在するが、ＱｔｈｒｅｔｈＡを超えるセルは存在しないため、無駄なセル選択は発生せず、（ｔ）の時刻Ｔ６において、最良のセルであるＦｉｄ＝２のセルをセル選択し、そのセルにセルの切り替えが行なわれる。
【００５０】
このように、本実施の形態に係る通信端末装置は、接続監視部１０９が、復調部１０８からの通信チャネル品質情報を監視し、この監視結果に基づきセル選択を行うことで、通信断があった場合でもその後に最適なセルを高速且つ確実に選択することが可能となる。
【００５１】
【発明の効果】
以上説明したように、本発明によれば、セル検出及びセルレベル測定の状態に応じてセルの選択方法を適応的に切り替えるようにしたので、移動に伴うセル選択の際に最適なセルを高速且つ確実に選択することが可能となる。
【図面の簡単な説明】
【図１】本発明の実施の形態１に係る通信端末装置の構成を示すブロック図
【図２】本発明の実施の形態１に係る通信端末装置の制御動作を示すシーケンス図
【図３】本発明の実施の形態２に係る通信端末装置の構成を示すブロック図
【図４】本発明の実施の形態２に係る通信端末装置の制御動作を示すシーケンス図
【図５】本発明の実施の形態３に係る通信端末装置の構成を示すブロック図
【図６】本発明の実施の形態３に係る通信端末装置の制御動作を示すシーケンス図
【図７】従来の通信端末装置の構成を示すブロック図
【図８】従来の通信端末装置の制御動作を示すシーケンス図
【符号の説明】
１００  アンテナ
１０１  無線受信部
１０２  セル検出部
１０３  セルレベル測定部
１０４ａ、１０４ｂ、１０４ｃ  セル管理部
１０５ａ、１０５ｂ  セル選択部
１０６、１０６ａ  セル切替処理部
１０７  報知情報受信部
１０８  復調部
１０９  接続監視部
【図１】
2004356909.tif 000003
【図２】
2004356909.tif 000004
【図３】
2004356909.tif 000005
【図４】
2004356909.tif 000006
【図５】
2004356909.tif 000007
【図６】
2004356909.tif 000008
【図７】
2004356909.tif 000009
【図８】
2004356909.tif 000010